(57)【要約】【課題】いま画面に表示されているチャンネルの番組を視聴しながら他のチャンネルの番組を簡単かつ迅速にザッピングすることができるようにする。【解決手段】表示装置の画面上には、リモコンの各キーに対応する図形が映像に重ねて表示される。リモコンの所定のキーに触れると、その触れられたキーに対応する画面上の図形上にそのキーに対応するチャンネルで放送されている番組の映像が図形の大きさに縮小されて表示される。さらに触れているキーを押下すると、その縮小映像が画面全体に表示される。【選択図】図１
2006222513.tif 000002
【特許請求の範囲】
【請求項１】
リモートコントローラと、前記リモートコントローラによって制御される機器とからなるリモコンシステムであって、
前記リモートコントローラは、
筐体に設けられた複数のキーと、
前記キーが指で触れられたか否かを検出するキー位置検出手段と、
前記キーが押されたか否かを検出するキー押下検出手段と、
前記キー位置検出手段によって指で触れられたことが検出された前記キーに対応する第１の制御信号を生成する第１の生成手段と、
前記キー押下検出手段によって押されたことが検出された前記キーに対応する第２の制御信号を生成する第２の生成手段と、
前記第１の生成手段によって生成された前記第１の制御信号と、前記第２の生成手段によって生成された前記第２の制御信号を送出する送出手段と
を備え、
前記機器は、
映像および前記キーに対応する図形を合成して表示する表示手段と、
前記リモートコントローラから送出された前記第１の制御信号および前記第２の制御信号を受信する受信手段と、
前記受信手段によって受信された前記第１の制御信号に対応して、指で触れられた前記キーに対応するチャンネルの映像を前記表示手段の画面に表示された前記キーに対応する図形上に縮小表示する縮小表示制御手段と、
前記受信手段によって受信された前記第２の制御信号に対応して、前記縮小表示制御手段によって前記表示手段の画面に縮小表示されている前記映像を画面全体に表示する表示制御手段と
を備える
ことを特徴とするリモコンシステム。
【請求項２】
所定のリモートコントローラによって遠隔制御される表示制御装置であって、
映像および前記リモートコントローラのキーに対応する図形を合成して表示する表示手段と、
前記リモートコントローラから送出された第１の制御信号および第２の制御信号を受信する受信手段と、
前記受信手段によって受信された前記第１の制御信号に対応して、指で触れられた前記キーに対応するチャンネルの映像を前記表示手段の画面に表示された前記キーに対応する図形上に縮小表示する縮小表示制御手段と、
前記受信手段によって受信された前記第２の制御信号に対応して、前記縮小表示制御手段によって前記表示手段の画面に縮小表示されている前記映像を画面全体に表示する表示制御手段と
を備える
ことを特徴とする表示制御装置。
【請求項３】
所定の機器を遠隔制御するリモートコントローラであって、
前記リモートコントローラは、
筐体に設けられた複数のキーと、
前記キーが指で触れられたか否かを検出するキー位置検出手段と、
前記キーが押されたか否かを検出するキー押下検出手段と、
前記キー位置検出手段によって指で触れられたことが検出された前記キーに対応する第１の制御信号を生成する第１の生成手段と、
前記キー押下検出手段によって押されたことが検出された前記キーに対応する第２の制御信号を生成する第２の生成手段と、
前記第１の生成手段によって生成された前記第１の制御信号と、前記第２の生成手段によって生成された前記第２の制御信号を送出する送出手段と
を備えることを特徴とするリモートコントローラ。
【請求項４】
リモートコントローラと、前記リモートコントローラによって制御される機器とからなるリモコンシステムを制御するリモコンシステムの制御方法であって、
前記リモートコントローラは、
前記リモートコントローラの筐体に設けられた複数のキーが指で触れられたか否かを検出するキー位置検出ステップと、
前記キーが押されたか否かを検出するキー押下検出ステップと、
前記キー位置検出ステップにおいて指で触れられたことが検出された前記キーに対応する第１の制御信号を生成する第１の生成ステップと、
前記キー押下検出ステップにおいて押されたことが検出された前記キーに対応する第２の制御信号を生成する第２の生成ステップと、
前記第１の生成ステップにおいて生成された前記第１の制御信号と、前記第２の生成ステップにおいて生成された前記第２の制御信号を送出する送出ステップと
を備え、
前記機器は、
映像および前記キーに対応する図形を合成して所定の表示装置に表示する表示ステップと、
前記リモートコントローラから送出された前記第１の制御信号および前記第２の制御信号を受信する受信ステップと、
前記受信ステップにおいて受信された前記第１の制御信号に対応して、指で触れられた前記キーに対応するチャンネルの映像を前記表示装置の画面に表示された前記キーに対応する図形上に縮小表示する縮小表示制御ステップと、
前記受信ステップにおいて受信された前記第２の制御信号に対応して、前記縮小表示制御ステップにおいて前記表示装置の画面に縮小表示されている前記映像を画面全体に表示する表示制御ステップと
を備える
ことを特徴とするリモコンシステムの制御方法。
【請求項５】
所定のリモートコントローラによって遠隔制御される表示制御装置の制御方法であって、
映像および前記リモートコントローラのキーに対応する図形を合成して所定の表示装置に表示する表示ステップと、
前記リモートコントローラから送出された第１の制御信号および第２の制御信号を受信する受信ステップと、
前記受信ステップにおいて受信された前記第１の制御信号に対応して、指で触れられた前記キーに対応するチャンネルの映像を前記表示装置の画面に表示された前記キーに対応する図形上に縮小表示する縮小表示制御ステップと、
前記受信ステップにおいて受信された前記第２の制御信号に対応して、前記縮小表示制御ステップにおいて前記表示装置の画面に縮小表示されている前記映像を画面全体に表示する表示制御ステップと
を備える
ことを特徴とする表示制御装置の制御方法。
【請求項６】
所定の機器を遠隔制御するリモートコントローラの制御方法であって、
前記リモートコントローラの筐体に設けられた複数のキーが指で触れられたか否かを検出するキー位置検出ステップと、
前記キーが押されたか否かを検出するキー押下検出ステップと、
前記キー位置検出ステップにおいて指で触れられたことが検出された前記キーに対応する第１の制御信号を生成する第１の生成ステップと、
前記キー押下検出ステップにおいて押されたことが検出された前記キーに対応する第２の制御信号を生成する第２の生成ステップと、
前記第１の生成ステップにおいて生成された前記第１の制御信号と、前記第２の生成ステップにおいて生成された前記第２の制御信号を送出する送出ステップと
を備えることを特徴とするリモートコントローラの制御方法。
【請求項７】
リモートコントローラと、前記リモートコントローラによって制御される機器とからなるリモコンシステムを制御するリモコンシステム制御プログラムであって、
前記リモートコントローラに、
前記リモートコントローラの筐体に設けられた複数のキーが指で触れられたか否かを検出するキー位置検出ステップと、
前記キーが押されたか否かを検出するキー押下検出ステップと、
前記キー位置検出ステップにおいて指で触れられたことが検出された前記キーに対応する第１の制御信号を生成する第１の生成ステップと、
前記キー押下検出ステップにおいて押されたことが検出された前記キーに対応する第２の制御信号を生成する第２の生成ステップと、
前記第１の生成ステップにおいて生成された前記第１の制御信号と、前記第２の生成ステップにおいて生成された前記第２の制御信号を送出する送出ステップと
を実行させ、
前記機器に、
映像および前記リモートコントローラのキーに対応する図形を合成して所定の表示装置に表示する表示ステップと、
前記リモートコントローラから送出された前記第１の制御信号および前記第２の制御信号を受信する受信ステップと、
前記受信ステップにおいて受信された前記第１の制御信号に対応して、指で触れられた前記キーに対応するチャンネルの映像を前記表示装置の画面に表示された前記キーに対応する図形上に縮小表示する縮小表示制御ステップと、
前記受信ステップにおいて受信された前記第２の制御信号に対応して、前記縮小表示制御ステップにおいて前記表示装置の画面に縮小表示されている前記映像を画面全体に表示する表示制御ステップと
を実行させることを特徴とするリモコンシステムの制御プログラム。
【請求項８】
所定のリモートコントローラによって遠隔制御される表示制御装置の制御プログラムであって、
映像および前記リモートコントローラのキーに対応する図形を合成して所定の表示装置に表示する表示ステップと、
前記リモートコントローラから送出された前記第１の制御信号および前記第２の制御信号を受信する受信ステップと、
前記受信ステップにおいて受信された前記第１の制御信号に対応して、指で触れられた前記キーに対応するチャンネルの映像を前記表示装置の画面に表示された前記キーに対応する図形上に縮小表示する縮小表示制御ステップと、
前記受信ステップにおいて受信された前記第２の制御信号に対応して、前記縮小表示制御ステップにおいて前記表示装置の画面に縮小表示されている前記映像を画面全体に表示する表示制御ステップと
を表示制御装置に実行させることを特徴とする表示制御装置の制御プログラム。
【請求項９】
所定の機器を遠隔制御するリモートコントローラの制御プログラムであって、
前記リモートコントローラの筐体に設けられた複数のキーが指で触れられたか否かを検出するキー位置検出ステップと、
前記キーが押されたか否かを検出するキー押下検出ステップと、
前記キー位置検出ステップにおいて指で触れられたことが検出された前記キーに対応する第１の制御信号を生成する第１の生成ステップと、
前記キー押下検出ステップにおいて押されたことが検出された前記キーに対応する第２の制御信号を生成する第２の生成ステップと、
前記第１の生成ステップにおいて生成された前記第１の制御信号と、前記第２の生成ステップにおいて生成された前記第２の制御信号を送出する送出ステップと
をリモートコントローラに実行させることを特徴とするリモートコントローラの制御プログラム。
【発明の詳細な説明】
【技術分野】
【０００１】
本発明はリモコンシステムに関し、特に、表示制御装置等の機器を遠隔操作するリモコンシステムに関するものである。
【背景技術】
【０００２】
従来、テレビジョン受像機等を遠隔操作するリモートコントローラ（以下、リモコンと略記する）の操作部は、テレビジョン受像機が実行可能な各機能に対応した複数のキーが配置され、その各キーを押下することにより、各機能に対応する制御信号を赤外線等によってテレビジョン受像機に送信し、所望の機能を実行させることができるようになっている。
【０００３】
また、希望するジャンルのジャンルキーを押すと、そのジャンルに登録されている日頃よく見るチャンネルが縮小映像の多画面表示で表示される。そして、その多画面表示を見ながら、カーソルキーを操作して見たいチャンネルを選択し、決定キーを押すと、その選択したチャンネルの映像が普通サイズで表示され、受信可能なチャンネルが数十チャンネル等と多数ある場合でも、その多数のチャンネルの中から、自分の見たい番組を容易に捜し出し選局することができるというものがある（例えば、特許文献１参照）。
【特許文献１】特開平１０−１３６２７６号公報
【発明の開示】
【発明が解決しようとする課題】
【０００４】
しかしながら、テレビを視聴する際にリモコンを使って頻繁にチャンネルを変えること（ザッピング）を行う場合、テレビジョン受像機の画面には１つの番組しか表示されないため、いま見ている番組はそのまま視聴しながら、他のチャンネルの番組を覗いてみるというようなことはできないという問題があった。
また、特許文献１に記載の発明では、日頃よく見る番組をジャンル毎に登録しておき、希望するジャンルのジャンルキーを押すと、そのジャンルに予め登録しておいた複数のチャンネルの縮小映像が画面に同時に表示され、その中から希望するチャンネルを選択することにより、自分の見たい番組を容易に捜し出し選局することができるが、チャンネルをザッピングしながら見たいチャンネルを探し出すという操作はできなかった。
本発明はこのような状況に鑑みてなされたものであり、簡単な操作で他のチャンネルの番組をザッピングすることができるようにするものである。
【課題を解決するための手段】
【０００５】
請求項１に記載のリモコンシステムは、リモートコントローラと、リモートコントローラによって制御される機器とからなるリモコンシステムであって、リモートコントローラは、筐体に設けられた複数のキーと、キーが指で触れられたか否かを検出するキー位置検出手段と、キーが押されたか否かを検出するキー押下検出手段と、キー位置検出手段によって指で触れられたことが検出されたキーに対応する第１の制御信号を生成する第１の生成手段と、キー押下検出手段によって押されたことが検出されたキーに対応する第２の制御信号を生成する第２の生成手段と、第１の生成手段によって生成された第１の制御信号と、第２の生成手段によって生成された第２の制御信号を送出する送出手段とを備え、機器は、映像およびキーに対応する図形を合成して表示する表示手段と、リモートコントローラから送出された第１の制御信号および第２の制御信号を受信する受信手段と、受信手段によって受信された第１の制御信号に対応して、指で触れられたキーに対応するチャンネルの映像を表示手段の画面に表示されたキーに対応する図形上に縮小表示する縮小表示制御手段と、受信手段によって受信された第２の制御信号に対応して、縮小表示制御手段によって表示手段の画面に縮小表示されている映像を画面全体に表示する表示制御手段とを備えることを特徴とする。
請求項２に記載の表示制御装置は、所定のリモートコントローラによって遠隔制御される表示制御装置であって、映像およびリモートコントローラのキーに対応する図形を合成して表示する表示手段と、リモートコントローラから送出された第１の制御信号および第２の制御信号を受信する受信手段と、受信手段によって受信された第１の制御信号に対応して、指で触れられたキーに対応するチャンネルの映像を表示手段の画面に表示されたキーに対応する図形上に縮小表示する縮小表示制御手段と、受信手段によって受信された第２の制御信号に対応して、縮小表示制御手段によって表示手段の画面に縮小表示されている映像を画面全体に表示する表示制御手段とを備えることを特徴とする。
請求項３に記載のリモートコントローラは、所定の機器を遠隔制御するリモートコントローラであって、リモートコントローラは、筐体に設けられた複数のキーと、キーが指で触れられたか否かを検出するキー位置検出手段と、キーが押されたか否かを検出するキー押下検出手段と、キー位置検出手段によって指で触れられたことが検出されたキーに対応する第１の制御信号を生成する第１の生成手段と、キー押下検出手段によって押されたことが検出されたキーに対応する第２の制御信号を生成する第２の生成手段と、第１の生成手段によって生成された第１の制御信号と、第２の生成手段によって生成された第２の制御信号を送出する送出手段とを備えることを特徴とする。
請求項４に記載のリモコンシステム制御方法は、リモートコントローラと、リモートコントローラによって制御される機器とからなるリモコンシステムを制御するリモコンシステムの制御方法であって、リモートコントローラは、リモートコントローラの筐体に設けられた複数のキーが指で触れられたか否かを検出するキー位置検出ステップと、キーが押されたか否かを検出するキー押下検出ステップと、キー位置検出ステップにおいて指で触れられたことが検出されたキーに対応する第１の制御信号を生成する第１の生成ステップと、キー押下検出ステップにおいて押されたことが検出されたキーに対応する第２の制御信号を生成する第２の生成ステップと、第１の生成ステップにおいて生成された第１の制御信号と、第２の生成ステップにおいて生成された第２の制御信号を送出する送出ステップとを備え、機器は、映像およびキーに対応する図形を合成して所定の表示装置に表示する表示ステップと、リモートコントローラから送出された第１の制御信号および第２の制御信号を受信する受信ステップと、受信ステップにおいて受信された第１の制御信号に対応して、指で触れられたキーに対応するチャンネルの映像を表示装置の画面に表示されたキーに対応する図形上に縮小表示する縮小表示制御ステップと、受信ステップにおいて受信された第２の制御信号に対応して、縮小表示制御ステップにおいて表示装置の画面に縮小表示されている映像を画面全体に表示する表示制御ステップとを備えることを特徴とするリモコンシステムの制御方法。
請求項５に記載の表示制御装置の制御方法は、所定のリモートコントローラによって遠隔制御される表示制御装置の制御方法であって、映像およびリモートコントローラのキーに対応する図形を合成して所定の表示装置に表示する表示ステップと、リモートコントローラから送出された第１の制御信号および第２の制御信号を受信する受信ステップと、受信ステップにおいて受信された第１の制御信号に対応して、指で触れられたキーに対応するチャンネルの映像を表示装置の画面に表示されたキーに対応する図形上に縮小表示する縮小表示制御ステップと、受信ステップにおいて受信された第２の制御信号に対応して、縮小表示制御ステップにおいて表示装置の画面に縮小表示されている映像を画面全体に表示する表示制御ステップとを備えることを特徴とする。
請求項６に記載のリモートコントローラの制御方法は、所定の機器を遠隔制御するリモートコントローラの制御方法であって、リモートコントローラの筐体に設けられた複数のキーが指で触れられたか否かを検出するキー位置検出ステップと、キーが押されたか否かを検出するキー押下検出ステップと、キー位置検出ステップにおいて指で触れられたことが検出されたキーに対応する第１の制御信号を生成する第１の生成ステップと、キー押下検出ステップにおいて押されたことが検出されたキーに対応する第２の制御信号を生成する第２の生成ステップと、第１の生成ステップにおいて生成された第１の制御信号と、第２の生成ステップにおいて生成された第２の制御信号を送出する送出ステップとを備えることを特徴とする。
請求項７に記載のリモコンシステム制御プログラムは、リモートコントローラと、リモートコントローラによって制御される機器とからなるリモコンシステムを制御するリモコンシステム制御プログラムであって、リモートコントローラに、リモートコントローラの筐体に設けられた複数のキーが指で触れられたか否かを検出するキー位置検出ステップと、キーが押されたか否かを検出するキー押下検出ステップと、キー位置検出ステップにおいて指で触れられたことが検出されたキーに対応する第１の制御信号を生成する第１の生成ステップと、キー押下検出ステップにおいて押されたことが検出されたキーに対応する第２の制御信号を生成する第２の生成ステップと、第１の生成ステップにおいて生成された第１の制御信号と、第２の生成ステップにおいて生成された第２の制御信号を送出する送出ステップとを実行させ、機器に、映像およびリモートコントローラのキーに対応する図形を合成して所定の表示装置に表示する表示ステップと、リモートコントローラから送出された第１の制御信号および第２の制御信号を受信する受信ステップと、受信ステップにおいて受信された第１の制御信号に対応して、指で触れられたキーに対応するチャンネルの映像を表示装置の画面に表示されたキーに対応する図形上に縮小表示する縮小表示制御ステップと、受信ステップにおいて受信された第２の制御信号に対応して、縮小表示制御ステップにおいて表示装置の画面に縮小表示されている映像を画面全体に表示する表示制御ステップとを実行させることを特徴とする。
請求項８に記載の表示制御装置の制御プログラムは、所定のリモートコントローラによって遠隔制御される表示制御装置の制御プログラムであって、映像およびリモートコントローラのキーに対応する図形を合成して所定の表示装置に表示する表示ステップと、リモートコントローラから送出された第１の制御信号および第２の制御信号を受信する受信ステップと、受信ステップにおいて受信された第１の制御信号に対応して、指で触れられたキーに対応するチャンネルの映像を表示装置の画面に表示されたキーに対応する図形上に縮小表示する縮小表示制御ステップと、受信ステップにおいて受信された第２の制御信号に対応して、縮小表示制御ステップにおいて表示装置の画面に縮小表示されている映像を画面全体に表示する表示制御ステップとを表示制御装置に実行させることを特徴とする。
請求項９に記載のリモートコントローラの制御プログラムは、所定の機器を遠隔制御するリモートコントローラの制御プログラムであって、リモートコントローラの筐体に設けられた複数のキーが指で触れられたか否かを検出するキー位置検出ステップと、キーが押されたか否かを検出するキー押下検出ステップと、キー位置検出ステップにおいて指で触れられたことが検出されたキーに対応する第１の制御信号を生成する第１の生成ステップと、キー押下検出ステップにおいて押されたことが検出されたキーに対応する第２の制御信号を生成する第２の生成ステップと、第１の生成ステップにおいて生成された第１の制御信号と、第２の生成ステップにおいて生成された第２の制御信号を送出する送出ステップとをリモートコントローラに実行させることを特徴とする。
【発明の効果】
【０００６】
本発明のリモコンシステムによれば、今見ている番組をそのまま視聴しながら、簡単な操作で他のチャンネルで放送されている番組をザッピングすることができる。
【発明を実施するための最良の形態】
【０００７】
図１は、本発明が適用されるリモートコントローラ（以下リモコンと略記する）の一実施の形態の外観図を示している。同図に示すように、リモコン１００は、複数のキー１０１と、複数のキー１０１の表面を覆うように配置されたタッチパネル１０３等から構成されている。
【０００８】
図２は、図１に示したリモコン１００の構成例を示すブロック図である。同図に示すように、リモコン１００は、キー１０１と、インタフェース１０２と、タッチパネル１０３と、タッチモーションセンサ１０４と、制御部１０５と、発光制御部１１０と、発光部１１１とから構成されている。
【０００９】
キー１０１は、後述するように、テレビジョン受像機の画面に縮小表示された所定の番組の映像に対応するチャンネルを選局するときに操作される。インタフェース１０２は、キー１０１が操作されたときに出力される電気信号に対応するデジタルのキーデータを制御部１０５に供給するようになっている。
【００１０】
タッチパネル１０３は、指等で触れられたとき、その位置を検出し、検出信号をタッチモーションセンサ１０４に供給するようになっている。この位置検出は、一定時間間隔で行われ、検出信号が逐次、タッチモーションセンサ１０４に供給されるようになっている。
【００１１】
タッチモーションセンサ１０４は、タッチパネル１０３より供給された検出信号およびその変化に基づいて、指がタッチパネル１０３のどこに触れているのかを判定するようになっている。
【００１２】
制御部１０５は、図４のフローチャートを参照して後述するように、タッチモーションセンサ１０４より供給された判定結果を示すデータに対応して各部を制御し、各種処理を実行するようになっている。
【００１３】
発光制御部１１０は、所定のコマンドに対応する制御信号を発光部１１１に供給し、発光部１１１の発光を制御するようになっている。発光部１１１は、発光制御部１１０から供給された制御信号に従って赤外線を発光し、所定のコマンドを送信するようになっている。
【００１４】
図３は、図１のリモコン１００によって制御可能なテレビジョン受像機２００の構成例を示すブロック図である。同図に示すように、テレビジョン受像機２００は、受光部２０１と、インタフェース（Ｉ／Ｆ）２０２と、制御部２０３と、オーバレイグラフィック処理部２０４と、音声処理部２０６と、チューナ２１０ａと、チューナ２１０ｂと、映像信号処理部２１１と、音声信号処理部２１２と、映像出力処理部２１３と、音声出力処理部２１４と、表示部２２０と、スピーカ２３０等から構成されている。各チューナ２１０ａ，２１０ｂはそれぞれ、地上波放送、ＢＳ放送、ＣＳ放送を受信することができるものとする。
【００１５】
受光部２０１は、リモコン１００の発光部１１１より出射された赤外線を受光し、対応する電気信号に変換した後、Ｉ／Ｆ２０２に供給するようになっている。Ｉ／Ｆ２０２は、受光部２０１より供給された電気信号に対応する制御データを制御部２０３に供給するようになっている。制御部２０３は、Ｉ／Ｆ２０２より供給された制御データに基づいて各部を制御し、リモコン１００の操作に対応する各種処理を実行するようになっている。
【００１６】
オーバレイグラフィック処理部２０４は、制御部２０３の制御下、映像に重ね合わせる文字や図形からなるオーバレイグラフィックを生成し、映像出力処理部２１３に供給するようになっている。
【００１７】
音声処理部２０６は、制御部２０３からの指令に基づいて音声信号を生成し、音声出力処理部２１４に供給するようになっている。
【００１８】
チューナ２１０ａ、チューナ２１０ｂはそれぞれ、図示しないアンテナによって受信された受信信号から所定のチャンネルの映像音声信号を抽出し、映像信号を映像信号処理部２１１に供給し、音声信号を音声信号処理部２１２に供給するようになっている。チューナ２１０ａ，２１０ｂはそれぞれ独立して動作し、２つのチャンネルの映像音声信号を同時に出力することができるようになっている。
【００１９】
映像信号処理部２１１は、チューナ２１０ａ，２１０ｂより供給された各映像信号に対してそれぞれ所定の処理を施した後、映像出力処理部２１３にそれぞれ供給するようになっている。音声信号処理部２１２は、チューナ２１０ａ，２１０ｂより供給された音声信号に対して所定の処理を施した後、音声出力処理部２１４に供給するようになっている。
【００２０】
映像出力処理部２１３は、オーバレイグラフィック処理部２０４によって生成されたオーバレイグラフィックを映像信号処理部２１１より供給された映像信号に重ね合わせて合成映像信号を生成し、表示部２２０に供給するようになっている。表示部２２０は、映像出力処理部２１３より供給された合成映像信号に対応する映像を画面に表示するようになっている。
【００２１】
音声出力処理部２１４は、音声信号処理部２１２より供給された音声信号と、音声処理部２０６より供給された音声信号を合成し、スピーカ２３０に供給するようになっている。スピーカ２３０は、音声出力処理部２１４より供給された音声信号を出力するようになっている。
【００２２】
次に、図４のフローチャートを参照して、リモコン１００の処理手順について説明する。まず、ステップＳ１において、リモコン１００の制御部１０５により、各キー１０１のいずれかの表面に指が触れたか否かが判定される。
【００２３】
即ち、リモコン１００に設けられた各キー１０１が配置された位置に対応するタッチパネル１０３上の領域の表面が指で触れられると、その位置がタッチモーションセンサ１０４によって判定され、判定結果に対応する信号が制御部１０５に供給される。制御部１０５は、タッチモーションセンサ１０４から供給された信号と、予め記憶しているタッチパネル１０３と各キー１０１との相対的な位置関係を示す情報とに基づいて、指がキー１０１の所定のものに触れられたか否かを判定する。
【００２４】
その結果、各キー１０１のいずれにも指が触れられていないと判定された場合、ステップＳ１に戻り、ステップＳ１以降の処理が繰り返し実行される。一方、各キー１０１のいずれかに指が触れられていると判定された場合、ステップＳ２に進む。
【００２５】
ステップＳ２においては、制御部１０５により、指で触れられたキー１０１が特定され、指で触れられたキー１０１に対応するチャンネルの映像を、画面に表示されたキー１０１の対応するものに重ね合わせて縮小して表示するよう指示するコマンドＡを生成し、発光制御部１１０に供給する。
【００２６】
発光制御部１１０は、制御部１０５より供給されたコマンドＡに対応する制御信号を生成し、発光部１１１に供給する。発光部１１１は、発光制御部１１０から供給された制御信号に従って赤外線を発光し、上記コマンドＡを送信する。
【００２７】
次に、ステップＳ３において、制御部１０５により、指で触れられているキー１０１が押されたか否かが判定される。即ち、インタフェース１０２より上記キー１０１が押されたときに出力される電気信号に対応するデジタルのキーデータが供給されたか否かに基づいて、指で触れられている上記キー１０１が押されたか否かが判定される。
【００２８】
その結果、指で触れられているキー１０１が押されていないと判定された場合、ステップＳ１に戻り、ステップＳ１以降の処理が繰り返し実行される。一方、指で触れられているキー１０１が押されたと判定された場合、ステップＳ４に進む。
【００２９】
ステップＳ４においては、制御部１０５は、押されたキー１０１に対応するチャンネルの映像を表示部２２０の画面全体に表示するよう指示するコマンドＢを生成し、発光制御部１１０に供給するとともに、そのコマンドＢを送信するよう指令する。
【００３０】
発光制御部１１０は、制御部１０５からの指令に基づいて、制御部１０５より供給されたコマンドＢに対応する制御信号を生成し、発光部１１１に供給する。発光部１１１は、発光制御部１１０から供給された制御信号に従って赤外線を発光し、上記コマンドＢを送信する。
【００３１】
次に、図５のフローチャートを参照して、テレビジョン受像機２００の処理手順について説明する。いま、テレビジョン受像機２００の画面には、リモコン１００の所定の操作により、図６に示すように、いま選局されているチャンネルの映像が表示され、リモコン１００の各キー１０１に対応する図形がその映像に重ねて表示されているものとする。
【００３２】
また、リモコン１００の各キー１０１に対応する図形を表示するとともに、いま選局されているチャンネルを示す図形もその映像に重ねて表示するようにすることもできる。なお、図形の表示は、画面の中央ではなく、画面の右上隅など、映像の表示の邪魔にならないような位置に表示するものとしてもよい。
【００３３】
また、通常、番組視聴時には、リモコン１００の各キー１０１に対応する図形の表示は行わず、番組視聴中に、リモコン１００を模した図形表示を行いたい場合、タッチパネル１０３上を指で左右にすばやくこするなど所定の操作を行い、表示させることができるようにしてもよい。
【００３４】
また、リモコン１００を模した図形表示を行っている最中に、この図形表示をやめたい場合（図形表示を消したい場合）も同様に、タッチパネル１０３上を指で左右にすばやくこするなど所定の操作を行い、表示をやめる（消す）ことができるようにしてもよい。
【００３５】
即ち、制御部２０３は、図６に示したような各キー１０１を表示するためのオーバレイグラフィックを生成し、オーバレイグラフィック処理部２０４に供給する。チューナ２１０ａは、選局されたチャンネルの映像音声信号のうち、映像信号を映像信号処理部２１１に供給し、音声信号を音声信号処理部２１２に供給する。
【００３６】
映像信号処理部２１１は、チューナ２１０ａより供給された映像信号を映像出力処理部２１３に供給する。音声信号処理部２１２は、チューナ２１０ａより供給された音声信号を音声出力処理部２１４に供給する。
【００３７】
映像出力処理部２１３は、映像信号処理部２１１より供給された映像信号にオーバレイグラフィック処理部２０４より供給されたオーバレイグラフィックを重ね合わせて合成し、合成した映像信号を表示部２２０に供給する。表示部２２０は、映像出力処理部２１３より供給された映像信号を画面に表示する。これにより、図６に示すように、キー１０１に対応する図形がオーバレイ表示された映像が表示される。
【００３８】
まず、ステップＳ１１において、制御部２０３は、受光部２０１によってリモコン１００から送信されてきたコマンドＡが受信され、そのコマンドＡに対応する制御データがインタフェース２０２を介して制御部２０３に供給されたか否かが判定される。
【００３９】
その結果、受光部２０１によってリモコン１００から送信されてきたコマンドＡが受信され、そのコマンドＡに対応する制御データがインタフェース２０２を介して制御部２０３に供給されたと判定された場合、ステップＳ１２に進む。
【００４０】
一方、受光部２０１によってリモコン１００から送信されてきたコマンドＡが受信され、そのコマンドＡに対応する制御データがインタフェース２０２を介して制御部２０３に供給されていないと判定された場合、ステップＳ１３に進む。
【００４１】
ステップＳ１２においては、リモコン１００より送信されてきたコマンドＡに基づいて、リモコン１００の指で触れられたキー１０１に対応するチャンネルを選局するようチューナ２１０ｂに指令する。また、映像出力処理部２１３に対して、チューナ２１０ｂより供給された映像信号を縮小し、縮小した映像信号をチューナ２１０ａより供給された映像信号の上記キー１０１の位置が表示されている位置に合成表示するよう指令する。
【００４２】
チューナ２１０ｂは、制御部２０３からの指令に基づいて、上記指で触れられたキー１０１に対応するチャンネルを選局し、そのチャンネルの映像音声信号のうち、映像信号を映像信号処理部２１１に供給する。
【００４３】
映像信号処理部２１１は、チューナ２１０ａより供給された映像信号（以下、映像信号Ａと記載する）と、チューナ２１０ｂより供給された映像信号（以下、映像信号Ｂと記載する）とを映像出力処理部２１３に供給する。
【００４４】
映像出力処理部２１３は、映像信号処理部２１１より供給された映像信号Ａと映像信号Ｂとを合成する。その際、制御部２０３からの指令に基づいて、表示部２２０の画面に表示しているキー１０１に対応する図形の大きさに映像信号Ｂを縮小し、画面に表示されているキー１０１に対応する図形のうち、指で触れられているキー１０１に対応する図形が表示されている位置にこの縮小した映像信号Ｂを重ねて合成する。
【００４５】
これにより、図６に示したように、表示部２２０の画面に表示されている、指で触れられているキー１０１に対応する図形の位置に、縮小された映像信号Ｂが合成表示される。
【００４６】
次に、ステップＳ１３において、制御部２０３により、リモコン１００から送信されたコマンドＢが受光部２０１によって受信され、インタフェース２０２を介してコマンドＢに対応する制御データが制御部２０３に供給されたか否かが判定される。
【００４７】
その結果、リモコン１００から送信されたコマンドＢが受光部２０１によって受信され、インタフェース２０２を介してコマンドＢに対応する制御データが制御部２０３に供給されていないと判定された場合、ステップＳ１１に戻り、ステップＳ１１以降の処理が繰り返し実行される。
【００４８】
一方、リモコン１００から送信されたコマンドＢが受光部２０１によって受信され、インタフェース２０２を介してコマンドＢに対応する制御データが制御部２０３に供給されたと判定された場合、ステップＳ１４に進む。
【００４９】
ステップＳ１４においては、指で押されたキー１０１に対応するチャンネルの映像が画面全体に表示される。即ち、制御部２０３は、コマンドＢに基づいて、指で押されたキー１０１に対応するチャンネルの映像を表示部２２０の画面全体に表示するよう映像出力処理部２１３に指令する。
【００５０】
この指令を受けた映像出力処理部２１３は、コマンドＢによって指定されたキー１０１に対応するチャンネルの映像を縮小しないでそのまま表示部２２０に供給する。これにより、図７に示すように、指で押されたキー１０１に対応するチャンネルの映像が表示部２２０の画面全体に表示され、そのチャンネルの音声がスピーカ２３０より出力される。その後、ステップＳ１１に戻り、ステップＳ１１以降の処理が繰り返し実行される。
【００５１】
以上説明したように、キー１０１に触れるだけで、そのキー１０１に対応するチャンネルの映像が表示部２２０の画面に表示されたキー１０１に対応する図形上に縮小表示されるので、いま視聴しているチャンネルの番組をそのまま視聴しながら、他のチャンネルで放送されている番組を簡単かつ迅速にザッピングすることができる。
【００５２】
なお、上記実施の形態の構成及び動作は例であって、本発明の趣旨を逸脱しない範囲で適宜変更することができることは言うまでもない。例えば、リモコン１００本体の外観デザインにおいて、キー１０１にチャンネル番号を示唆する番号表示の表記などがなく、平面状の外観、もしくはキー配置を指の感触で確認するための凹凸があるのみの外観、もしくは、同様にキー配置を指の感触で確認するため、キーとなるエリアに異素材を埋め込んだ外観等、デザイン面での表現においても、適宜変更することができるものとする。
【００５３】
また、触れられているキーを検出する方法として、上述したように、複数のキー１０１の表面を覆うように、タッチパネル１０３を配置し、タッチパネルに触れられたときにその位置を検出し、検出信号をタッチモーションセンサ１０４に供給する方法のほかに、タッチパネル１０３は配置せず、複数のキー１０１にそれぞれ図示しないセンサーを設け、複数のキー１０１のうち触れられたキー１０１から得られた検出信号をタッチモーションセンサ１０４に供給するものとしてもよい。この場合、触れた場合と押下された場合の差を検出するには、圧力の差で検出するほか、キー１０１を押下し接触することで信号が供給される図示しないセンサー等と併用することも可能である。
【産業上の利用可能性】
【００５４】
本発明の活用例として、例えば、テレビジョン放送を受信可能な録画装置やカーナビゲーションシステム、また、画像表示装置に接続されるチューナを有するＤＶＤ（Digital Versatile Disc）レコーダやチューナ付パソコン等をリモートコントロールするリモコンシステム等に本発明を適用することができる。
【図面の簡単な説明】
【００５５】
【図１】本発明におけるリモコンの一実施の形態の外観図である。
【図２】図１のリモコンの構成例を示すブロック図である。
【図３】図１のリモコンによって制御されるテレビジョン受像機の構成例を示すブロック図である。
【図４】リモコンの処理手順を説明するためのフローチャートである。
【図５】テレビジョン受像機の処理手順を説明するためのフローチャートである。
【図６】テレビジョン受像機の表示画面例を示す図である。
【図７】テレビジョン受像機の表示画面例を示す図である。
【符号の説明】
【００５６】
１００  リモコン
１０１  キー
１０２，２０２  インタフェース（Ｉ／Ｆ）
１０３  タッチパネル
１０４  タッチモーションセンサ
１０５，２０３  制御部
１１０  発光制御部
１１１  発光部
２００  テレビジョン受像機
２０１  受光部
２０４  オーバレイグラフィック処理部
２０６  音声処理部
２１０ａ，２１０ｂ  チューナ
２１１  映像信号処理部
２１２  音声信号処理部
２１３  映像出力処理部
２１４  音声出力処理部
２２０  表示部
２３０  スピーカ
【図１】
2006222513.tif 000003
【図２】
2006222513.tif 000004
【図３】
2006222513.tif 000005
【図４】
2006222513.tif 000006
【図５】
2006222513.tif 000007
【図６】
2006222513.tif 000008
【図７】
2006222513.tif 000009